(57)【要約】      （修正有）【課題】積載や運輸のコストを低く抑えると同時に、ニーズに応じて必要な長さに接続することが可能な照明装置を提供する。【解決手段】照明装置１は、第一管体１１ａ、第一接続組立部品１２ａ、第二管体１１ｂ及び第二接続組立部品１２ｂを備える。第一管体１１ａは、少なくとも一部が透光である。第一接続組立部品１２ａは、第一管体１１ａの長軸方向の一端に設置される。第二管体１１ｂは、少なくとも一部が透光で、第二接続組立部品１２ｂは、第二管体１１ｂの長軸方向の一端に設置されて、第一接続組立部品１２ａに対応して設置される。第一管体１１ａと第二管体１１ｂは、第一接続組立部品１２ａ及び第二接続組立部品１２ｂを介して相互に接続する。【選択図】図１Ａ
0003181770.tif 000002
【実用新案登録請求の範囲】
【請求項１】
少なくとも一部が透光である第一管体と、
前記第一管体の長軸方向の一端に設置される第一接続組立部品と、
少なくとも一部が透光である第二管体と、
前記第二管体の長軸方向の一端に設置されて、前記第一接続組立部品に対応して設置される第二接続組立部品とを備えて、
前記第一管体と前記第二管体は、前記第一接続組立部品及び前記第二接続組立部品を介して相互に接続することを特徴とする照明装置。
【請求項２】
前記第一接続組立部品は、ジョイントプラグを有し、前記第二接続組立部品は、ソケットを有するか、または、前記第一接続組立部品は、ソケットを有し、前記第二接続組立部品は、ジョイントプラグを有して、前記ジョイントプラグと前記ソケットは、対応し且つ組み合わさって設置されることを特徴とする請求項１に記載の照明装置。
【請求項３】
前記第一接続組立部品はさらに、固定突起を有し、前記第二接続組立部品はさらに固定受けを有して、前記固定突起と前記固定受けは、対応し且つ組み合わさって設置されることを特徴とする請求項１または２に記載の照明装置。
【請求項４】
前記第一管体の長軸方向の他端に設置されて、照明器具のランプソケットに組み合わされる第一電気接続素子をさらに備えることを特徴とする請求項１に記載の照明装置。
【請求項５】
前記第一管体内に設置され、前記第一接続組立部品に電気的に接続されて、前記第一管体から光線を射出する第一発光ユニットと、
前記第二管体内に設置され、前記第二接続組立部品に電気的に接続されて、前記第二管体から光線を射出する第二発光ユニットとをさらに備えることを特徴とする請求項１に記載の照明装置。
【請求項６】
前記第一発光ユニット及び前記第二発光ユニットは、それぞれ少なくとも1個の発光ダイオード、少なくとも1個の蛍光ランプまたは少なくとも1個の紫外線ランプを備えることを特徴とする請求項５に記載の照明装置。
【請求項７】
前記第一管体内に設置されて、前記第一発光ユニットに電気的に接続される第一駆動回路と、
前記第二管体内に設置されて、前記第二発光ユニットに電気的に接続される第二駆動回路とをさらに備えることを特徴とする請求項５に記載の照明装置。
【請求項８】
前記第二管体の長軸方向の他端に設置される第三接続組立部品と、
少なくとも一部が透光である第三管体と、
前記第三管体の長軸方向の一端に設置されて、前記第三接続組立部品に対応して設置される第四接続組立部品とをさらに備えて、
前記第二管体と前記第三管体は、前記第三接続組立部品及び前記第四接続組立部品を介して相互に接続することを特徴とする請求項１に記載の照明装置。
【考案の詳細な説明】
【技術分野】
【０００１】
本考案は、照明装置に関し、特にニーズに応じて長さが変えられる照明装置に関する。
【背景技術】
【０００２】
照明装置は、現代生活には不可欠の装置の一つであり、照明装置が使用する光源は、例えば、初期の頃の白熱灯から現代の蛍光灯や発光ダイオードまで、その発光効率と寿命において明らかな進歩を遂げている。このうち、発光ダイオードは、白熱灯、蛍光灯または省エネランプと異なり、消費電量が低い、汚染による環境負荷が低い、使用寿命が長い、安全性が高い、発光反応時間が短い、体積が小さい等の特性を有するため、広く照明装置の製造に応用されている。例えば、発光ダイオードを有する照明装置を従来の蛍光ランプと同じ外形に製造して、従来の蛍光灯に取って代わることで、照明器具に取り付けて使用することも可能である。
【０００３】
しかしながら、蛍光灯または発光ダイオードに関わらず、それを光源とする長いサイズの直管型ランプ（例えば、8インチの長さの発光ダイオードT8型ランプ）は、その形態が長いことから割れやすく、ランプが曲がったり、破損したりするのを防ぐために、荷積みや運搬の際に長くて強度の高い支柱（例えば、アルミ押し出し型）によって積載し、特殊なパレットを使用して運搬や運輸を行なう必要がある。このため、積載や運輸のコストが高くなる。また、従来の長いサイズのランプはいずれも規定の長さ（例えば、約120ｃｍ、約60ｃｍ）であるため、必要に応じて照明装置の長さを変更することができない。
【考案の概要】
【考案が解決しようとする課題】
【０００４】
したがって、本考案は、積載や運輸のコストを低く抑えると同時に、ニーズに応じて必要な長さに接続することが可能な照明装置を提供することを課題とする。
【課題を解決するための手段】
【０００５】
上記課題を解決するために、本考案は、積載や運輸のコストを低く抑えると同時に、ニーズに応じて必要な長さに接続することが可能な照明装置を提供することを目的とする。
【０００６】
上記目的を達成するために、本考案は、第一管体、第一接続組立部品、第二管体及び第二接続組立部品を備える。第一管体は少なくとも一部が透光である。第一接続組立部品は、第一管体の長軸方向の一端に設置される。第二管体は少なくとも一部が透光である。第二接続組立部品は、第二管体の長軸方向の一端に設置されて、第一接続組立部品に対応して設置される。第一管体と第二管体は、第一接続組立部品及び第二接続組立部品を介して相互に接続する。
【０００７】
本考案の一実施例において、第一接続組立部品がジョイントプラグを有し、第二接続組立部品がソケットを有するか、または、第一接続組立部品がソケットを有し、第二接続組立部品がジョイントプラグを有して、ジョイントプラグとソケットが対応し且つ組み合わさって設置される。
【０００８】
本考案の一実施例において、第一接続組立部品はさらに、固定突起を有し、第二接続組立部品はさらに固定受けを有する。固定突起と固定受けは、対応し且つ組み合わさって設置される。
【０００９】
本考案の一実施例において、照明装置は、第一電気接続素子を備える。それは、第一管体の長軸方向の他端に設置される。第一電気接続素子は、照明器具のランプソケットに組み合わされる。
【００１０】
本考案の一実施例において、照明装置は、さらに、第一発光ユニット及び第二発光ユニットを備える。第一発光ユニットは、第一管体内に設置されて、第一発光ユニットと第一接続組立部品は電気的に接続される。第一発光ユニットは、第一管体から光線を射出する。第二発光ユニットは、第二管体内に設置され、第二発光ユニットと第二接続組立部品は電気的に接続される。第二発光ユニットは、第二管体から光線を射出する。
【００１１】
本考案の一実施例において、第一発光ユニット及び第二発光ユニットは、それぞれ  少なくとも1個の発光ダイオードを備えて、少なくとも1個の蛍光ランプまたは少なくとも1個の紫外線ランプを備える。
【００１２】
本考案の一実施例において、照明装置はさらに、第一駆動回路及び第二駆動回路を備える。第一駆動回路は、第一管体内に設置されて、第一発光ユニットに電気的に接続される。第二駆動回路は第二管体内に設置されて、第二発光ユニットに電気的に接続される。
【００１３】
本考案の一実施例において、照明装置はさらに、第二電連接元件を備え、それは第二管体の長軸方向の他端に設置される。第二電連接元件は、照明器具のランプソケットに組み合わされる。
【００１４】
本考案の一実施例において、照明装置はさらに、第三接続組立部品、第三管体及び第四接続組立部品を備える。第三接続組立部品は、第二管体の長軸方向の他端に設置される。第三管体は少なくとも一部が透光である。第四接続組立部品は、第三管体の長軸方向の一端に設置されて、第三接続組立部品に対応して設置され、第二管体と第三管体は、第三接続組立部品及び第四接続組立部品を介して相互に接続する。
【００１５】
本考案の一実施例において、照明装置は、さらに、第二電気接続素子を備える。それは、第三管体の長軸方向の他端に設置される。第二電気接続素子は、照明器具の他のランプソケットに組み合わされる。
【００１６】
このように、本考案の照明装置は、第一管体、第二管体、第一接続組立部品及び第二接続組立部品を有し、第一接続組立部品と第二接続組立部品は、対応して設置され、且つ、第一管体と第二管体は、第一接続組立部品及び第二接続組立部品を介して相互に接続する。したがって、ニーズに応じて照明装置を必要な長さにまで接続させることが可能である。また、照明装置は短い管体によって組み合わせて形成させることも可能である。ゆえに、管体が曲がったり損壊したりしにくい。さらに、長さが長く、強度の高い支柱及びパレットによって照明装置を積載及び運搬する必要がない（例えば、強度の低いプラスチック材質の支柱は軽い上にコストが低い）。したがって、本考案の照明装置は、積載及び運搬のコストを低くすると同時に、ニーズに応じて必要な長さに接続することが可能である。
【考案の効果】
【００１７】
本考案の照明装置は、第一管体、第二管体、第一接続組立部品及び第二接続組立部品を有し、第一接続組立部品と第二接続組立部品は、対応して設置され、且つ、第一管体と第二管体は、第一接続組立部品及び第二接続組立部品を介して相互に接続する。したがって、ニーズに応じて照明装置を必要な長さにまで接続させることが可能である。また、照明装置は短い管体によって組み合わせて形成させることも可能である。ゆえに、管体が曲がったり損壊したりしにくい。さらに、長さが長く、強度の高い支柱及びパレットによって照明装置を積載及び運搬する必要がない（例えば、強度の低いプラスチック材質の支柱は軽い上にコストが低い）。したがって、本考案の照明装置は、積載及び運搬のコストを低くすると同時に、ニーズに応じて必要な長さに接続することが可能である。
【図面の簡単な説明】
【００１８】
【図１Ａ】本考案の好適な実施例１における照明装置の組み合わせ前の斜視図である。
【図１Ｂ】同実施例１における照明装置の組み合わせ後の斜視図である。
【図１Ｃ】同実施例１における照明装置の分解斜視図である。
【図１Ｄ】本考案の他の好適な実施例２における照明装置の組み合わせ後の斜視図である。
【図１Ｅ】図1ＤのＡ-Ａ断面図である。
【図２】本考案のさらに他の好適な実施例３における照明装置の分解斜視図である。
【図３】本考案のまたさらに他の好適な実施例４における照明装置の組み合わせ前の斜視図である。
【考案を実施するための形態】
【実施例１】
【００１９】
以下、図面を参照しながら、本考案の好適な実施例における照明装置について説明し、このうち同じ部材は同じ符号を付して説明する。
【００２０】
図1A、図1B及び図1Cを参照しながら説明する。図1A、図1B及び図1Cは、それぞれ本考案の好適な実施例における照明装置1の接続を示した図、組み合わせ図及び分解図であるである。
【００２１】
照明装置1は、第一管体11a、第二管体11b、第一接続組立部品12a及び第二接続組立部品12bを備える。
【００２２】
第一管体11a及び第二管体11bは、実施上はそれぞれ電気的絶縁体（例えば、材質はガラスまたはプラスチック）であり、且つ、少なくとも一部は透光である。また、第一管体11a及び第二管体11bの横断面は、それぞれ封閉された曲線である。このうち、封閉された曲線とは、起点と終点が同一点である曲線を指し、形状は、例えば、円形、楕円形、または、その他の形状である。本実施例は、第一管体11a及び第二管体11bの上半部がそれぞれ透光性を有し、且つ、第一管体11a及び第二管体11b横断面は、それぞれ円形の場合を例とする。このため、光線は第一管体11a及び第二管体11bの上半部から射出される。当然、第一管体11a及び第二管体11bも全て透光である。また、第一管体11a及び第二管体11bは、それぞれ一体成形であるか、あるいは、複数の部分を熱熔方式によって結合させる。本実施例において、第一管体11a及び第二管体11bは、それぞれ一体成形の場合を例とし、射出成形または押出成形によって製造される。
【００２３】
第一接続組立部品12aは、第一管体11aの長軸方向の一端に設置されて、第一管体11aに密合する。第二接続組立部品12bは、第二管体11bの長軸方向の一端に設置されて、第二管体11bに密合する。このうち、第一接続組立部品12aと第二接続組立部品12bは、対応し、且つ、組み合わさって設置される。具体的には、図1Cに示したように、第一接続組立部品12aがジョイントプラグ121aを有し、第二接続組立部品12bがソケット121bを有するか、または、第一接続組立部品12aがソケットを有し、第二接続組立部品12bがジョイントプラグを有する。且つ、ジョイントプラグ121aとソケット121bは、対応し、組み合わさって設置される。本実施例において、第一接続組立部品12aはジョイントプラグ121aを有し、第二接続組立部品12bはソケット121bを有する。このため、図1Bに示したように、第一管体11aと第二管体11bは、第一接続組立部品12aのジョイントプラグ121a（図1bには図示されない）及び第二接続組立部品12bのソケット121bを介して相互に接続することにより、照明装置1を組成する。このうち、ジョイントプラグ121a及びソケット121bは、構造的に組み合わさる（例えば、図1Cに示したように、ジョイントプラグ121aとソケット121bは互いに凹凸によって組み合わさるため、ジョイントプラグ121aをソケット121b内に挿入する）外、電気的にも接続される。
【００２４】
第一接続組立部品12aはさらに、固定突起122aを有し、第二接続組立部品12bはさらに、固定受け122bを有する。固定突起122aと固定受け122bは、対応し、且つ、組み合わさって配置される。当然、その他の実施態様において、固定受けは、第一接続組立部品12a上に位置することも可能で、固定突起は、第二接続組立部品12b上（図示されない）に位置することも可能である。また、第一接続組立部品12a上に、複数の固定突起122aを設置することも可能であり、第二接続組立部品12bの対応する位置に、相互に組み合わさって対となる複数の固定受け122bを設置することも可能である。ここでは、第一接続組立部品12a上に二個の固定突起122aを設置した場合、第二接続組立部品12bの対応する位置に、二個の固定受け122bを設置した場合を例とする。固定突起122aと対応して組み合わさる固定受け122bの接続により、第一管体11a及び第二管体11bの接続強度が高くなる。
【００２５】
また、照明装置1はさらに、第一電気接続素子13a及び第二電気接続素子13bを備える。第一電気接続素子13aは、第一管体11aの長軸方向の、第一接続組立部品12aと反対の他端に設置され、且つ、第一管体11aに密合する。第二電気接続素子13bは、第二管体11bの長軸方向の、第二接続組立部品12bと反対の他端に設置され、且つ、第二管体11bに密合する。このうち、第一電気接続素子13a及び第二電気接続素子13bは、それぞれ口金131a、131b及び二個の電極コネクタ132a、132bを有し、前記電極コネクタ132a、132bは、口金131a、131bに固定される。口金131a、131bは、それぞれ第一管体11a及び第二管体11bに密合する。例えば、粘着、かみ合わせ、螺合または熱融合等であるが、ここでは、特に制限しない。本実施例において、第一電気接続素子13aは、従来の蛍光灯照明器具のランプソケットと組み合わせ、第二電気接続素子13bは、照明器具の他のランプソケットに組み合わせることで、照明装置1を従来の照明器具のランプソケットに取り付けて使用することができる。
【００２６】
例えば、第一管体11a及び第二管体11bの長さは、それぞれ約60ｃｍで、第一接続組立部品12a及び第二接続組立部品12bが接続された後、照明装置1の長さ及び規格は、従来の蛍光灯と実質的に同一であり、第一電気接続素子13a及び第二電気接続素子13bは、従来の照明器具のランプソケット（図示されない）に取り付けて、従来の蛍光灯に取って代わることが可能である。
【００２７】
また、図1Cに示したように、照明装置1はさらに、第一発光ユニット14a及び第二発光ユニット14bを備える。第一発光ユニット14aは、第一管体11a内に設置されて、例えば、嵌合方式または圧入方式で、第一管体11aに接続させる。第一発光ユニット14aは、それぞれ第一電気接続素子13a及び第一接続組立部品12aに電気的に接続されて、第一発光ユニット14aが光線を発して第一管体11aから射出させる。
【００２８】
第二発光ユニット14bは、第二管体11b内に設置されて、例えば、嵌合方式または圧入方式で第一管体11aに接続される。第二発光ユニット14bは、それぞれ第二電気接続素子13b及び第二接続組立部品12bに電気的に接続され、且つ、第二発光ユニット14bが光線を発して、第二管体11bから射出させる。ここで、第一発光ユニット14a及び第二発光ユニット14bは、それぞれ第一管体11a及び第二管体11bに嵌合された場合を例とする。このうち、第一発光ユニット14a及び第二発光ユニット14bは、例えば、少なくとも1個の発光ダイオード、または、少なくとも1個の蛍光ランプ（冷陰極または熱陰極蛍光ランプ）、または、少なくとも1個の紫外線ランプを備える。
【００２９】
本実施例において、第一発光ユニット14a及び第二発光ユニット14bは、それぞれ基板141a、141b、複数の発光ダイオード142a、142b及び回路基板143a、143bを有して、発光ダイオード142a、142b（実装体）は、それぞれ回路基板143a、143bに設置されて、回路基板143a、143bは、それぞれ基板141a、141b上に設置される。あるいは、第一発光ユニット14a及び第二発光ユニット14bは、それぞれ複数の発光ダイオードのダイ（die）を有して、ワイア・ボンディング（wire bonding）またはフリップ・チップ・ボンディング(Flip Chip Bonding)方式によって基板、またはリードフレーム上に設置される。ここでは、複数の発光ダイオード142a、142bがそれぞれ回路基板143a、143bに設置され、回路基板143a、143bがそれぞれ基板141a、141b上に設置され、且つ、基板141a、141bがそれぞれ第一管体11a及び第二管体11bにかみ合わされる場合を例として説明する。発光ダイオード142a、142bの数量及び配列の方式は、特に制限されない。ここでは、複数の発光ダイオード142a、142bが一次元の直線配列によって、回路基板143a、143bに設置される場合を例として説明する。当然、製品の実際の必要性に応じて、複数の発光ダイオード142a、142bが二次元アレイ配列またはその他の配列方式で回路基板143a、143b上に設置されることも可能である。
【００３０】
また、照明装置1はさらに、第一駆動回路15a及び第二駆動回路15bを備える。第一駆動回路15a及び第二駆動回路15bは、それぞれ第一管体11a及び第二管体11b内に設置されて、それぞれ第一発光ユニット14a及び第二発光ユニット14bに電気的に接続される。ここでは、第一駆動回路15a及び第二駆動回路15bは、それぞれ第一発光ユニット14a及び第二発光ユニット14bの基板141a、141bに、発光ダイオード142a、142bと反対の他側に設置される。このうち、第一駆動回路15a及び第二駆動回路15bは、それぞれ基板141a、141bに嵌合または粘着されるが、これに限るものではない。また、第一駆動回路15aは、発光ダイオード142aを駆動して発光させ、第二駆動回路15bは発光ダイオード142bを駆動させて発光させる。本実施例における照明装置1は、照明器具に取り付けて固定させる際、外部電源（例えば、家庭用電源）は、第一駆動回路15aによって第一発光ユニット14aを駆動して発光させ、第二駆動回路15bによって第二発光ユニット14bを駆動して発光させる。言い換えれば、各管体内の発光ユニットは、それに組み合わされる駆動回路によって駆動されて各自発光するということである。したがって、各管体内の発光ユニットは、同一の数量または異なる数量である。発光ユニットの発光ダイオードの配列方式もまた、同一または異なるが、ここでは特に制限しない。
【実施例２】
【００３１】
また、図1D及び図1Eに示したように、このうち、図1Dは、本考案の他の好適な実施例２における照明装置1aの組み合わせ図である。そして、図1Eは、図1DのA-A断面図である。
【００３２】
照明装置1と異なる点は、照明装置1aの第一駆動回路15a（図示されない）及び第二駆動回路15bは、外付け方式で照明装置1aの外部（図示されない）に設置される点であり、それぞれ、導線を介して第一発光ユニット14a及び第二発光ユニット14bに電気的に接続される。また、図1Eに示したように、第二発光ユニット14bは、二個の回路基板143b、143b'を有し、回路基板143b、143b'上にはそれぞれ複数の発光ダイオード142b、142b'が設置される。且つ、回路基板143bは、嵌合方式で基板141bの第一表面S1に設置される。回路基板143b'もまた嵌合方式で基板141bの第二表面S2に設置される。さらに、その他の実施態様において、回路基板143bは、粘着方式で基板141bの第一表面S1に設置され、回路基板143b'は、嵌合方式で基板141bの第二表面S2に設置されるか、あるいは、両者が逆に設置されるが、ここでは、制限されない。また、第一管体11a内の第一発光ユニット14aの構造は、第二管体11b内の第二発光ユニット14bの構造と全く同一であるため、ここでは再述しない。また、照明装置1aのその他の技術特徴も、照明装置1を参考にすることができるため、ここでは再述しない。
【実施例３】
【００３３】
図2は、本考案の他の好適な実施例３における照明装置2の分解図である。
【００３４】
照明装置1と異なる点は、照明装置2が二個の第一発光ユニット24a、24a'及び二個の第二発光ユニット24b、24b'を有する点である。且つ、第一発光ユニット24a、24a'の長さの和は、照明装置1の第一発光ユニット14aに等しく、第二発光ユニット24b、24b'の長さの和は、照明装置1の第二発光ユニット14bに等しい。また、照明装置2はさらに、二個の第一駆動回路25a、25a'及び二個の第二駆動回路25b、25b'を有し、且つ、第一駆動回路25a、25a'は、それぞれ発光ユニット24a、24a'を駆動し、第二駆動回路25b、25b'は、それぞれ第二発光ユニット24b、24b'を駆動する。
【実施例４】
【００３５】
また、図3は、本考案のまたさらに他の好適な実施例４における照明装置3の接続を示した図である。
【００３６】
照明装置3と照明装置1の異なる点は、照明装置3の第二管体31bが、第二接続組立部品32bと反対の他端に第三接続組立部品32cを有する点である。また、照明装置3はさらに、第三管体31c及び第四接続組立部品32dを備え、第四接続組立部品32dは、第三管体31cの長軸方向の一端に設置されて、第三接続組立部品32cに対応して設置される。且つ、第二管体31bと第三管体31cは、第三接続組立部品32c及び第四接続組立部品32dによって相互に接続する。また、第二電気接続素子33bは、第三管体31cの長軸方向の、第四接続組立部品32dと反対の他端に設置される。ここで、第三接続組立部品32c、第三管体31c及び第四接続組立部品32dは、それぞれ上述の照明装置1の第一接続組立部品12a、第一管体11b及び第二接続組立部品12bと同一の構造及びその接続関係を有するため、ここでは再述しない。
【００３７】
また、照明装置2、3のその他の素子は、照明装置1の同一素子を参考とすることが可能なため、ここでは再述しない。
【００３８】
このように、本考案の照明装置は、第一管体、第二管体、第一接続組立部品及び第二接続組立部品を有し、第一接続組立部品と第二接続組立部品は、対応して設置され、且つ、第一管体と第二管体は、第一接続組立部品及び第二接続組立部品を介して相互に接続する。したがって、ニーズに応じて照明装置を必要な長さにまで接続させることが可能である。また、照明装置は短い管体によって組み合わせて形成させることも可能である。ゆえに、管体が曲がったり損壊したりしにくい。さらに、長さが長く、強度の高い支柱及びパレットによって照明装置を積載及び運搬する必要がない（例えば、強度の低いプラスチック材質の支柱は軽い上にコストが低い）。したがって、本考案の照明装置は、積載及び運搬のコストを低くすると同時に、ニーズに応じて必要な長さに接続することが可能である。
【００３９】
以上、本考案の実施例を図面を参照して詳述してきたが、具体的な構成は、これらの実施例に限られるものではなく、本考案の要旨を逸脱しない範囲の設計変更などがあっても、本考案に含まれる。
【産業上の利用可能性】
【００４０】
本考案は以上の如く構成したので、積載や運輸のコストを低く抑えると同時に、ニーズに応じて必要な長さに接続することが可能な照明装置を提供し得るものである。
【符号の説明】
【００４１】
1、1a、2、3        照明装置
11a、21a、31a      第一管体
11b、21b、31b      第二管体
12a、22a、32a      第一接続組立部品
121a            ジョイントプラグ
122a、222a、322a、322c      固定突起  
12b、22b、32b      第二接続組立部品
121b、221b、321b、321d      ソケット
122b、222b、322b、322d      固定受け
13a、23a、33a      第一電気接続素子
13b、23b、33b      第二電気接続素子
131a、131b、231a、231b、331a、331b        口金
132a、132b、232a、232b、332a、332b        電極コネクタ
14a、24a、24a'      第一発光ユニット
14b、24b、24b'      第二発光ユニット
141a、141b、241a、241a'、241b、241b'      基板
142a、142b、142b'、242a、242a'、242b、242b'    発光ダイオード
143a、143b、143b'、243a、243a'、243b、243b'    回路基板
15a、25a、25a'      第一駆動回路
15b、25b、25b'      第二駆動回路
31c          第三管体
32c          第三接続組立部品
32d          第四接続組立部品
S1、S2        表面
【図１Ａ】
0003181770.tif 000003
【図１Ｂ】
0003181770.tif 000004
【図１Ｃ】
0003181770.tif 000005
【図１Ｄ】
0003181770.tif 000006
【図１Ｅ】
0003181770.tif 000007
【図２】
0003181770.tif 000008
【図３】
0003181770.tif 000009